(57)【要約】      （修正有）【課題】部品数を低減でき、小型薄型化を図れ、品質のばらつきやコストを抑制でき、部品レイアウトも容易にできる雌ねじピンと、地板と、時計とを提供する。【解決手段】雌ねじピン２０は、時計の地板１０の貫通孔１０Ｃに打ち込まれるメイン固定部２１と、地板１０の文字板側の第１面に固定される部品の位置決めを行う第１固定部２２と、地板１０の裏蓋側の第２面に固定される部品の位置決めを行う第２固定部２３と、第１固定部２２からメイン固定部２１まで形成された第１雌ねじ部２４と、第２固定部２３からメイン固定部２１まで形成された第２雌ねじ部２５と、を有し、第１雌ねじ部２４および第２雌ねじ部２５は、ねじピッチ、深さ、径、ねじ山の巻き方向の少なくともいずれか一つが異なる。【選択図】図２
2019105607.tif 000002
【特許請求の範囲】
【請求項１】
時計の地板に固定される雌ねじピンであって、
前記地板に形成された貫通孔に打ち込まれるメイン固定部と、
前記地板の文字板側の第１面に固定される部品の位置決めを行う第１固定部と、
前記地板の裏蓋側の第２面に固定される部品の位置決めを行う第２固定部と、
前記第１固定部から前記メイン固定部まで形成された第１雌ねじ部と、
前記第２固定部から前記メイン固定部まで形成された第２雌ねじ部と、を有し、
前記第１雌ねじ部および前記第２雌ねじ部は、ねじピッチ、深さ、径、ねじ山の巻き方向の少なくともいずれか一つが異なることを特徴とする雌ねじピン。
【請求項２】
請求項１に記載の雌ねじピンにおいて、
前記第１雌ねじ部は、前記第２雌ねじ部に比べて、ねじピッチおよび径が小さいことを特徴とする雌ねじピン。
【請求項３】
請求項１または請求項２に記載の雌ねじピンが打ち込まれた貫通孔を有することを特徴とする地板。
【請求項４】
請求項３に記載の地板を備え、
前記第１雌ねじ部に取り付けられた第１雄ねじによって地板に固定されるカレンダー部品と、
前記第２雌ねじ部に取り付けられた第２雄ねじによって地板に固定される時計用基板とを備えることを特徴とする時計。
【発明の詳細な説明】
【技術分野】
【０００１】
本発明は、時計用の地板に部品を固定するために用いられる雌ねじピンと、この雌ねじピンを有する地板および時計に関する。
【背景技術】
【０００２】
時計用の地板に、輪列の受け部材等を固定する場合、地板に雌ねじピンを打ち込んで固定し、この雌ねじピンに固定用の部品を介して固定ネジをねじ込むことで固定している。例えば、特許文献１では、地板に打ち込んだメネジピンと、このメネジピンにねじ込まれる固定ネジとを用いて薄板を地板に固定している。
【先行技術文献】
【特許文献】
【０００３】
【特許文献１】特開平１０−１６０８６２号公報
【発明の概要】
【発明が解決しようとする課題】
【０００４】
地板には、地板の文字板側（第１面側）に配置される日車押さえ等のカレンダー部品の他に、地板の裏蓋側（第２面側）に配置される輪列受け等の時計用基板も固定される。このため、従来は、図３に示すように、地板１０の平面視で異なる場所に、それぞれ貫通孔１０Ｄ，１０Ｅを形成し、雌ねじピン８０、９０を貫通孔１０Ｄ、１０Ｅに打ち込んでいた。そして、雌ねじピン８０に雄ねじ８１を螺合して、第１面１０Ａ側のカレンダー部品１１を固定し、雌ねじピン９０に雄ねじ９１を螺合して、第２面１０Ｂ側の時計用基板１２、１３を固定していた。
このため、雌ねじピン８０，９０を取り付けるために平面スペースが必要となり、特に腕時計のような小型の時計においては部品レイアウトが難しいという課題がある。
また、表面側の部品固定用と、裏面側の部品固定用とで異なる雌ねじピン８０，９０が必要となるため、部品数が増加し、時計の小型薄型化が困難となり、品質がばらついたり、コストが増加するという課題もある。
【０００５】
本発明の目的は、部品数を低減でき、小型薄型化を図れ、品質のばらつきやコストを抑制でき、部品レイアウトも容易にできる雌ねじピンと、地板と、時計とを提供することにある。
【課題を解決するための手段】
【０００６】
本発明は、時計の地板に固定される雌ねじピンであって、前記地板に形成された貫通孔に打ち込まれるメイン固定部と、前記地板の文字板側の第１面に固定される部品の位置決めを行う第１固定部と、前記地板の裏蓋側の第２面に固定される部品の位置決めを行う第２固定部と、前記第１固定部から前記メイン固定部まで形成された第１雌ねじ部と、前記第２固定部から前記メイン固定部まで形成された第２雌ねじ部と、を有し、前記第１雌ねじ部および前記第２雌ねじ部は、ねじピッチ、深さ、径、ねじ山の巻き方向の少なくともいずれか一つが異なることを特徴とする。
【０００７】
本発明の雌ねじピンによれば、地板の貫通孔に打ち込まれて固定されるメイン固定部と、第１固定部、第２固定部、第１雌ねじ部、第２雌ねじ部とを備えるため、地板の文字板側（第１面）の部品を固定するための第１雌ねじ部と、地板の裏蓋側（第２面）の部品を固定するための第２雌ねじ部とを同軸上に設けることができる。このため、第１面の部品固定用の雌ねじピンと、第２面の部品固定用の雌ねじピンとを、地板の平面視で異なる位置に配置する場合に比べて、雌ねじピンの固定用スペースを半減でき、部品を容易にレイアウトすることができる。
また、１つの雌ねじピンで、第１面側および第２面側の２つの部品を固定できるため、雌ねじピンの数を少なくでき、小型薄型化を実現できる。また、雌ねじピンを少なくできるため、品質のばらつきやコストを低減できる。さらに、第１雌ねじ部および第２雌ねじ部は、ねじピッチ、深さ、径、ねじ山の巻き方向の少なくともいずれか一つが異なるため、地板の第１面および第２面に固定される各部品に応じて各雌ねじ部や雄ねじを設計でき、配置スペースや固定トルクを適切に設定できる。
【０００８】
本発明の雌ねじピンにおいて、前記第１雌ねじ部は、前記第２雌ねじ部に比べて、ねじピッチおよび径が小さいことが好ましい。
【０００９】
第１雌ねじ部を利用して取り付けられる第１面の部品は、地板の文字板側、つまり地板と文字板との間に配置される。このため、第２雌ねじ部に比べて、第１雌ねじ部のねじピッチおよび径を小さくすれば、第１雌ねじ部に螺合される第１雄ねじも、ねじピッチや径が小さいものを利用できる。このため、配置スペースが制約される文字板側の第１面に、日車押さえ等のカレンダー部品を容易に配置できる。
一方、第２雌ねじ部を利用して取り付けられる第２面の部品は、地板の裏蓋側に配置され、一番受けや、二番受け等の輪列受けを支持するため、必要な固定トルクも第１面の部品に比べて大きくなる。本発明では、第１雌ねじ部に比べて、第２雌ねじ部のねじピッチや径を大きくすることで、第２雌ねじ部に螺合される第２雄ねじも、ねじピッチや径が大きなものを利用でき、固定トルクも大きくできる。このため、裏蓋側の第２面に輪列受け等の部品を確実に固定できる。
【００１０】
本発明の地板は、前記雌ねじピンが打ち込まれた貫通孔を有することを特徴とする。
【００１１】
本発明の地板によれば、前記雌ねじピンを用いることで、第１面および第２面にそれぞれ部品を固定でき、かつ、雌ねじピンの数を少なくできて、品質のばらつきやコストを低減できる。
【００１２】
本発明の時計は、前記地板を備え、前記第１雌ねじ部に取り付けられた第１雄ねじによって地板に固定されるカレンダー部品と、前記第２雌ねじ部に取り付けられた第２雄ねじによって地板に固定される時計用基板とを備えることが好ましい。
【００１３】
本発明の時計によれば、前記地板を用いることで、第１面にカレンダー部品を固定でき、第２面に一番受け等の時計用基板を固定でき、雌ねじピンの数を少なくできて、品質のばらつきやコストを低減できる。
【図面の簡単な説明】
【００１４】
【図１】本発明の実施形態の時計を示す正面図。
【図２】前記実施形態の地板および雌ねじピンを示す断面図。
【図３】本発明の従来例の地板および雌ねじピンを示す断面図。
【発明を実施するための形態】
【００１５】
以下、本発明の実施形態を図面に基づいて説明する。
図１は、機械式時計である時計１を示す平面図である。
時計１は、円筒状の外装ケース２を備え、外装ケース２の内周側には、円盤状の文字板３が配置されている。外装ケース２の側面には、リューズ７が設けられている。時計１は、図示略のムーブメントで運針される時針４Ａ、分針４Ｂ、秒針４Ｃ、日車６を備えている。
文字板３の裏面（裏蓋）側には、図２に示すように、地板１０が配置されている。地板１０の文字板３側の第１面１０Ａには、日車押さえ等のカレンダー部品１１が配置されている。地板１０の裏蓋側の第２面１０Ｂには、一番受け等の時計用基板１２，１３が配置されている。
地板１０には、後述する雌ねじピン２０が打ち込まれる貫通孔１０Ｃが形成されている。カレンダー部品１１には、雌ねじピン２０で位置決めされる貫通孔１１Ａが形成され、時計用基板１２、１３には、雌ねじピン２０で位置決めされる貫通孔１２Ａ、１３Ａが形成されている。
【００１６】
［雌ねじピン］
次に、本実施形態の雌ねじピン２０について、図２を参照して説明する。
雌ねじピン２０は、メイン固定部２１と、第１固定部２２と、第２固定部２３とを備える。メイン固定部２１は、略円柱状に形成されて前記地板１０の貫通孔１０Ｃに打ち込まれる部分であり、貫通孔１０Ｃの直径よりも締め代分だけ大きな径の大径部２１Ａと、貫通孔１０Ｃの直径よりも小さな径の小径部２１Ｂとを備える。
【００１７】
第１固定部２２は、メイン固定部２１の小径部２１Ｂに連続して略円柱状に形成され、小径部２１Ｂよりも小径とされている。第１固定部２２は、カレンダー部品１１の貫通孔１１Ａに挿入され、カレンダー部品１１を位置決めする。
【００１８】
第２固定部２３は、メイン固定部２１の大径部２１Ａに連続して略円柱状に形成され、大径部２１Ａおよび小径部２１Ｂよりも小径とされ、第１固定部２２よりも大径とされている。
第２固定部２３は、時計用基板１２、１３の貫通孔１２Ａ，１３Ａに挿入され、時計用基板１２、１３を位置決めする。第２固定部２３は、２つの基板１２，１３の位置決めを行うため、メイン固定部２１からの軸方向の突出寸法は、２つの基板１２、１３の厚さ寸法に近い寸法とされ、第１固定部２２のメイン固定部２１からの突出寸法に比べて大きな寸法とされている。
また、貫通孔１２Ａの直径は、貫通孔１３Ａの直径よりも僅かに大きくされている。このため、第２固定部２３は、貫通孔１２Ａの直径に応じた径の大径部２３Ａと、貫通孔１３Ａの直径に応じた径の小径部２３Ｂとを備える。
【００１９】
雌ねじピン２０には、第１固定部２２からメイン固定部２１まで形成された第１雌ねじ部２４と、第２固定部２３からメイン固定部２１まで形成された第２雌ねじ部２５とを備えている。
第１雌ねじ部２４は、第１固定部２２の端面に開口し、メイン固定部２１の略中間位置まで形成された穴を、タップ加工することで形成されている。
第２雌ねじ部２５は、第２固定部２３の端面に開口し、メイン固定部２１まで形成された穴を、タップ加工することで形成されている。
ここで、第１雌ねじ部２４と第２雌ねじ部２５とを比較すると、第１雌ねじ部２４の径は、第２雌ねじ部２５よりも小さい。なお、第１雌ねじ部２４、第２雌ねじ部２５の径とは、雌ねじの谷の径の基準寸法（呼び径）など、雌ねじの寸法を代表する直径である。
また、第１雌ねじ部２４のねじピッチは、第２雌ねじ部２５のねじピッチよりも小さい。さらに、第１雌ねじ部２４の深さは、第２雌ねじ部２５の深さよりも小さい。なお、本実施形態では、第１雌ねじ部２４および第２雌ねじ部２５のねじ山の巻き方向（ねじの締め付け方向）は同じ方向である。
すなわち、本実施形態では、第１雌ねじ部２４と第２雌ねじ部２５とは、径、ねじピッチ、深さが異なり、ねじ山の巻き方向は同じ方向となるように設計されている。
【００２０】
第１雌ねじ部２４には、第１雄ねじ３１がねじ込まれ、カレンダー部品１１を固定している。第２雌ねじ部２５には、第２雄ねじ３２がねじ込まれ、時計用基板１２、１３を固定している。
第１雄ねじ３１と、第２雄ねじ３２とは、径、ねじピッチ、深さが異なり、ねじ山の巻き方向（ねじの締め付け方向）は同じ方向となるように設計されている。
【００２１】
［実施形態の作用効果］
本実施形態では、雌ねじピン２０は、メイン固定部２１、第１固定部２２、第２固定部２３、第１雌ねじ部２４、第２雌ねじ部２５を備える。このため、地板１０の文字板側（第１面１０Ａ）のカレンダー部品１１を固定するための第１雌ねじ部２４と、地板１０の裏蓋側（第２面１０Ｂ）の時計用基板１２、１３を固定するための第２雌ねじ部２５を同軸上に設けることができる。したがって、図３に示すような第１面１０Ａの部品固定用の雌ねじピン８０と、第２面１０Ｂの部品固定用の雌ねじピン９０とを、地板１０の平面視で異なる位置に配置する従来例に比べて、雌ねじピン２０の固定用スペースを半減でき、カレンダー部品１１や時計用基板１２、１３等の部品を容易にレイアウトすることができる。
また、１つの雌ねじピン２０で、第１面１０Ａ側および第２面１０Ｂ側のカレンダー部品１１、時計用基板１２、１３を固定できるため、雌ねじピン２０の数を少なくでき、時計１の小型薄型化を実現できる。また、雌ねじピン２０を少なくできるため、品質のばらつきやコストを低減できる。
さらに、１つの雌ねじピン２０で、第１面側および第２面側のカレンダー部品１１、時計用基板１２、１３を固定できるため、カレンダー部品１１と、時計用基板１２、１３とを、同じ雌ねじピン２０を基準に位置決めすることができ、各部品を精度よく位置合わせできる。
【００２２】
第１雌ねじ部２４および第１雄ねじ３１は、第２雌ねじ部２５および第２雄ねじ３２に比べて、ねじピッチおよび径を小さくしているので、配置スペースが制約される文字板３側の第１面１０Ａに、日車押さえ等のカレンダー部品１１を容易に配置できる。
第２雌ねじ部２５、第２雄ねじ３２は、第１雌ねじ部２４、第１雄ねじ３１に比べて、ねじピッチや径を大きくしているので、固定トルクも大きくできる。このため、カレンダー部品１１に比べて大きな固定トルクが必要な時計用基板１２、１３は、第２雌ねじ部２５、第２雄ねじ３２を用いることで、第２面１０Ｂに確実に固定できる。
すなわち、第１雌ねじ部２４、第２雌ねじ部２５のねじピッチや径は、部品を固定するために必要な固定トルクに応じてそれぞれ設定できるので、各部品を適切な固定トルクで固定することができる。
【００２３】
雌ねじピン２０のメイン固定部２１は、大径部２１Ａおよび小径部２１Ｂを備えるので、貫通孔１０Ｃに対して小径部２１Ｂから挿入することで、雌ねじピン２０を貫通孔１０Ｃに容易にセットできる。このため、雌ねじピン２０の打ち込み作業も容易に行うことができる。
第２固定部２３は、大径部２３Ａおよび小径部２３Ｂを備えるので、時計用基板１３は大径部２３Ａ部分に配置することできない。このため、第２固定部２３に対して、時計用基板１２、１３の順に配置しなければ組み込むことができず、時計用基板１２、１３の位置関係を常に正しく設定できる。
【００２４】
第１雌ねじ部２４および第２雌ねじ部２５は、連通していないので、一方の第１雌ねじ部２４または第２雌ねじ部２５に、第１雄ねじ３１、第２雄ねじ３２をねじ込んだ際に、切り粉などが発生しても、各第１雌ねじ部２４、第２雌ねじ部２５の底面部分に残り、雌ねじピン２０から外に排出されることがない。このため、切り粉が輪列などに付着して輪列の駆動を阻害することも防止できる。
【００２５】
［他の実施形態］
なお、本発明は前述の実施形態に限定されるものではなく、本発明の目的を達成できる範囲での変形、改良等は本発明に含まれるものである。
例えば、前記実施形態では、第１雌ねじ部２４と第２雌ねじ部２５とは、径、ねじピッチ、深さが異なり、ねじ山の巻き方向が同じ方向となるように設計していたが、径、ねじピッチ、深さ、ねじ山の巻き方向の少なくともいずれか一つが異なればよい。例えば、第１雌ねじ部２４と第２雌ねじ部２５とで深さを同じ寸法としてもよい。また、雌ねじ部の径が異なれば、通常、ねじピッチも異なるが、第１雌ねじ部２４と第２雌ねじ部２５とで径およびねじピッチの一方を同じとし、他方を異ならせてもよい。さらに、第１雌ねじ部２４と第２雌ねじ部２５とで、ねじ山の巻き方向（第１雄ねじ３１、第２雄ねじ３２の締め付け方向）を互いに逆方向としてもよい。
【００２６】
また、前記実施形態では、第１雌ねじ部２４のねじピッチ、径を、第２雌ねじ部２５に比べて小さく設定していたが、逆に大きく設定してもよい。さらに、第１雌ねじ部２４のねじピッチ、径が、第２雌ねじ部２５よりも小さい雌ねじピン２０と、第２雌ねじ部２５のねじピッチ、径が、第１雌ねじ部２４よりも小さい雌ねじピン２０とを用意し、地板１０の場所つまり固定する部品によって、各雌ねじピン２０を使い分けてもよい。
【００２７】
さらに、前記実施形態では、第１雌ねじ部２４および第２雌ねじ部２５は連通していないが、第１雌ねじ部２４および第２雌ねじ部２５を連通させてもよい。ただし、切り粉が発生した場合に輪列側に排出されないように、前記実施形態のように連通しない構成が好ましい。
【符号の説明】
【００２８】
１…時計、２…外装ケース、３…文字板、１０…地板、１０Ａ…第１面、１０Ｂ…第２面、１０Ｃ…貫通孔、１１…カレンダー部品、１１Ａ…貫通孔、１２…時計用基板、１２Ａ…貫通孔、１３…時計用基板、１３Ａ…貫通孔、２０…雌ねじピン、２１…メイン固定部、２１Ａ…大径部、２１Ｂ…小径部、２２…第１固定部、２３…第２固定部、２３Ａ…大径部、２３Ｂ…小径部、２４…第１雌ねじ部、２５…第２雌ねじ部、３１…第１雄ねじ、３２…第２雄ねじ。
【図１】
2019105607.tif 000003
【図２】
2019105607.tif 000004
【図３】
2019105607.tif 000005